(57)【特許請求の範囲】
【請求項１】
記録媒体へのビデオデータの記録方法において、
入力されるビデオデータをフレーム内符号化ピクチャ、およびフレーム間符号化ピクチャからなるビットストリームに符号化する符号化ステップと、
離散的に選択された複数のフレーム内符号化ピクチャの位置情報からなるエントリパケットを生成するエントリパケット生成ステップと、
生成されたエントリパケットを上記ビットストリーム中のフレーム内符号化ピクチャの前に配置されるように多重化する多重化ステップと、
上記エントリパケットを多重化した上記ビットストリームを記録媒体に記録する記録ステップと
を有することを特徴とする記録媒体へのビデオデータの記録方法。
【請求項２】
ビデオデータを記録した記録媒体の生産方法において、
入力されるビデオデータをフレーム内符号化ピクチャ、およびフレーム間符号化ピクチャからなるビットストリームに符号化する符号化ステップと、
離散的に選択された複数のフレーム内符号化ピクチャの位置情報からなるエントリパケットを生成するエントリパケット生成ステップと、
生成されたエントリパケットを上記ビットストリーム中のフレーム内符号化ピクチャの前に配置されるように多重化する多重化ステップと、
上記エントリパケットを多重化した上記ビットストリームを記録媒体に記録する記録ステップと
を有することを特徴とするビデオデータを記録した記録媒体の生産方法。
【発明の詳細な説明】
【技術分野】
【０００１】
本発明は、動画像及び音声を圧縮してディスクに時分割多重記録し、所定の画像を高速にサーチする場合に用いて好適な、記録媒体へのビデオデータの記録方法、ビデオデータを記録した記録媒体の生産方法に関する。
【背景技術】
【０００２】
従来の符号化装置及び復号化装置の例を図６と図７に示す。図６において、ビデオ信号は、ビデオエンコーダ１により圧縮されるとともに符号化（エンコード）され、多重化装置３内のコードバッファ４に入力される。また、音声信号は、オーディオエンコーダ２により圧縮されるとともに符号化（エンコード）され、多重化装置３のコードバッファ５に入力される。
【０００３】
コードバッファ４，５の出力端子は、それぞれスイッチング回路６の入力端子Ｅ１，Ｅ２に接続されている。スイッチング回路６の出力端子Ｆは、ヘッダ付加回路７の入力端子に接続されている。ヘッダ付加回路７の出力は、例えば光磁気ディスク、磁気ディスク（ハードディスク）などからなる記録媒体の駆動装置（ＤＳＭ）１０に供給されるようになっている。制御装置８は、多重化システムクロック発生回路９の出力するシステムクロックの入力を受けて、所定の周期でスイッチング回路６の入力端子Ｅ１，Ｅ２を出力端子Ｆと順次接続状態にして、コードバッファ４または５からのデータを順次取り出して、時分割多重する。
【０００４】
制御装置８は、図８に示すフォーマットに従ってビットストリームが生成されるように、スイッチング回路６とヘッダ付加回路７を制御する。
【０００５】
即ち、図８に示すように、ISO11172(MPEG)の多重化方式では、１つの多重化ビットストリームは、１つ以上のパック（PACK）と、１つのISO ＿11172 ＿end＿codeで構成される。ISO ＿11172 ＿end ＿codeは、３２ビットの符号で、１６進で表すと0x000001b9である。ここでx は不定を意味する。
【０００６】
１つのパックは、Pack＿Start ＿Code、SCR (System Clock Reference) 、MUX＿Rateよりなるヘッダと、１つ以上のパケット (Packet) で構成される。ヘッダのPack＿Start ＿Codeは、３２ビットの符号で、１６進で表すと、0x000001b4である。パックの長さは、可変長として定義されているが、最大２０４８バイトとされる。
【０００７】
１つのパケットは、Packet＿Start ＿Code＿Prefix、Stream＿ID、Packet＿length、PTS(Presentation Time Stamp)、DTS(Decoding Time Stamp)よりなるヘッダと、パケットデータ（Code Data ）とで構成される。Packet＿Start ＿Code＿Prefixは、２４ビットの符号で0x000001である。Stream＿IDは、８ビットの符号で、図９に示すように、パケットの種類を表す。Packet＿length（１６ビット）は、それ以降のパケットの長さを示す。
【０００８】
各パケットのCode Data には、オーディオデータ（audio stream）の場合、または、ビデオデータ（video streamの場合）が記録される。また、audio streamは３２種類、video streamは１６種類の異なったstream id を持つため、この数までの複数のオーディオ信号とビデオ信号を多重化することが出来る。
【０００９】
reserved stream は、例えば字幕等のデータを持つ。private ＿stream＿1 及びprivate ＿stream＿2 は用途が定められていない。padding ＿streamはデータ量を増やすために使用される。
【００１０】
以上のフォーマットに従って、パックの間隔が２０４８バイトになるように、制御装置８は、例えば図１０に示すようなアルゴリズムを使用してヘッダ付加、コード読み込みの処理を行う。
【００１１】
最初に、制御装置８は、ヘッダ付加回路７に命令してパックヘッダを付加させる（ステップＳ１）。そしてＭ4 とＭ5 の和が、１つのパックに含まれるコードデータ量Ｄに等しくなるか、それより大きくなるまで待機する（ステップＳ２）。すなわち、１つのパックに収めるだけのデータがコードバッファ４，５に蓄積されるまで待機する。
【００１２】
ここで、Ｍ4 はコードバッファ４に書き込まれたデータ量、Ｍ5 はコードバッファ５に書き込まれたデータ量である。また、Ｄは１つのパック中に含まれるデータの総量を示す。ここでは簡単化するためにＤを定数、すなわちパックの大きさ（２０４８）から、パックヘッダの大きさ、ビデオパケットヘッダの大きさ及びオーディオパケットヘッダの大きさを減じたものとする。
【００１３】
次に、そのパックに収めるビデオデータの量Ｐ１と、そのパックに収めるオーディオデータの量Ｐ２を、次式に従って演算する（ステップ３）。Ｐ１＝Ｄ×Ｍ4 ／（Ｍ4 ＋Ｍ5 ）Ｐ２＝Ｄ−Ｐ１ここでは単にパックに含まれるコードデータの総量Ｄを、各コードバッファ４，５のデータ量の比で配分している。
【００１４】
データ量が決まったら、制御装置８はヘッダ付加回路７に指令し、ビデオパケットヘッダを出力させる（ステップＳ４）。次にＰ１バイトのビデオデータをコードバッファ４より読み出し、駆動装置１０に出力させる（ステップＳ５）。同様に、オーディオパケットヘッダを付加し（ステップＳ６）、Ｐ２バイトのオーディオデータをコードバッファ５より読み出し、駆動装置１０に出力させる（ステップＳ７）。駆動装置１０においては、内蔵するディスクにこれらの入力データが記録される。
【００１５】
このようにしてディスクに記録されたデータは図７に示す復号化装置において復号化される。すなわち、分離装置２１のヘッダ分離回路２２は、駆動装置１０から読み出されたデータから、パックヘッダ及びパケットヘッダを分離して制御装置２４に供給するとともに、時分割多重されたデータをスイッチング回路２３の入力端子Ｇに供給する。スイッチング回路２３の出力端子Ｈ１，Ｈ２は、それぞれビデオデコーダ２５、オーディオデコーダ２６の入力端子に接続されている。分離装置２１の制御装置２４は、ヘッダ分離回路２２から供給されたパケットヘッダのstream idに従い、スイッチング回路２３の入力端子Ｇと出力端子Ｈ１，Ｈ２を順次接続状態にして、時分割多重されたデータを正しく分離し、対応するデコーダに供給する。
【００１６】
このように、多重化したビデオデータがＭＰＥＧの符号化方式で圧縮されている場合、ランダムアクセスやサーチ動作に制限が生じる。すなわち、ＭＰＥＧにおいては、フレーム内符号化ピクチャ（Ｉ（イントラ）ピクチャ）とフレーム間符号化ピクチャ（Ｐ（前方予測）ピクチャ、Ｂ（両方向予測）ピクチャ）を持っている。Ｉピクチャの符号化は、その画像（フレームまたはフイールド）内のデータのみを用いて行なわれるため、データの圧縮効率は低くなる。このＩピクチャ自体をデコードすることが可能である。ＰピクチャとＢピクチャは、前後のピクチャからの差分信号を符号化したものであるため、データの圧縮効率は高くなる。このＰピクチャまたはＢピクチャをデコードするには、それより前または後の予測画像が必要となる。このため、通常は１秒間に２枚程度のＩピクチャが出現するようにして、ランダムアクセス性と圧縮効率のバランスを取っている。
【００１７】
図１１に、駆動装置１０によりディスクに記録されるＩピクチャ、ＰピクチャおよびＢピクチャを含むビットストリームの概念図を示す。一続きのビデオビットストリームは、１つ以上のＧＯＰ(Group of Pictures) に分割される。ＧＯＰは先頭部分にＩピクチャを持つ。ビデオデータに対して固定レートの圧縮が行われている場合、Ｉピクチャは周期的に所定の位置に出現するため、その位置を計算により求め、アクセスすることができる。しかしながら、可変レートの圧縮が行われている場合、Ｉピクチャの位置は不定となり、アクセスすることが困難になる。
【００１８】
即ち、図７の多重化データ復号化装置において、サーチの命令を受けた場合、図示せぬ主制御装置は、制御装置２４、ビデオデコーダ２５及びオーディオデコーダ２６に対してサーチモードへの遷移を命令する。サーチモードにおいてビデオデコーダ２５は、入力されたビデオデータの中からＩピクチャのデータのみをデコードする。あるいはまた、分離装置２１でＩピクチャのデータのみが選択され、ビデオデコーダ２５に入力される。ビデオデコーダ２５では、入力されたデータがデコードされる。
【００１９】
サーチモードにおいて、制御装置２４は駆動装置１０に対し、ディスク上のデータの読出位置を前方（または後方）に移動するコマンドを指令する。このときの読出位置の移動量は、サーチの速度や符号化レート等に依存するが、一般的に、サーチの速度が速いほど、また符号化レートが高いほど、移動量が増える。読出位置が所定の位置まで移動したとき、駆動装置１０から出力されたデータは分離装置２１に入力される。ヘッダ分離回路２２はビデオデータを分離し、ビデオデコーダ２５に供給する。ビデオデコーダ２５は最初に出現したＩピクチャをデコードし、出力する。サーチモードにおいて、オーディオデコーダ２６はミユート状態とされる。
【００２０】
このように、サーチ動作（Ｉピクチャの連続再生）は、ランダムアクセスの繰り返しとして実現される。つまりユーザから、例えば前方への高速サーチが指示された場合、ビデオデコーダ２５は入力されるデータのうち、所定のフレーム数のデータを読み飛ばし、Ｉピクチャを探し、デコードして出力する。あるいはまた、駆動装置１０によりＩピクチャのサーチが行なわれ、Ｉピクチャのデータのみがビデオデコーダ２５に供給され、デコードされる。このような動作を繰り返すことによってサーチ動作（Ｉピクチャの連続再生）が実現される。
【発明の開示】
【発明が解決しようとする課題】
【００２１】
このように、従来の装置においては、Ｉピクチャの位置（アクセスポイント）を知ることが出来ないため、再生位置をある程度移動した後にアクセスポイントを待つという動作が必要となる。このため、サーチ動作の繰り返し周期が長くなり、迅速なサーチ動作が困難になるという課題があった。
【００２２】
本発明はこのような状態に鑑みてなされたものであり、ビデオデータのアクセスポイントを迅速に見つけ出し、迅速なサーチを可能にするものである。
【課題を解決するための手段】
【００２３】
請求項１に記載の記録媒体へのビデオデータの記録方法は、入力されるビデオデータをフレーム内符号化ピクチャ、およびフレーム間符号化ピクチャからなるビットストリームに符号化する符号化ステップと、離散的に選択された複数のフレーム内符号化ピクチャの位置情報からなるエントリパケットを生成するエントリパケット生成ステップと、生成されたエントリパケットを上記ビットストリーム中のフレーム内符号化ピクチャの前に配置されるように多重化する多重化ステップと、上記エントリパケットを多重化した上記ビットストリームを記録媒体に記録する記録ステップとを有することを特徴とする。
【００２５】
請求項３に記載のビデオデータを記録した記録媒体の生産方法は、入力されるビデオデータをフレーム内符号化ピクチャ、およびフレーム間符号化ピクチャからなるビットストリームに符号化する符号化ステップと、離散的に選択された複数のフレーム内符号化ピクチャの位置情報からなるエントリパケットを生成するエントリパケット生成ステップと、生成されたエントリパケットを上記ビットストリーム中のフレーム内符号化ピクチャの前に配置されるように多重化する多重化ステップと、上記エントリパケットを多重化した上記ビットストリームを記録媒体に記録する記録ステップとを有することを特徴とする。
【発明の効果】
【００２９】
本発明の記録媒体へのビデオデータの記録方法によれば、入力されるビデオデータをフレーム内符号化ピクチャ、およびフレーム間符号化ピクチャからなるビットストリームに符号化し、離散的に選択された複数のフレーム内符号化ピクチャの位置情報からなるエントリパケットを生成し、生成されたエントリパケットを上記ビットストリーム中のフレーム内符号化ピクチャの前に配置されるように多重化し、上記エントリパケットを多重化した上記ビットストリームを記録媒体に記録するようにしたので、動画像がフレーム内符号化ピクチャ、およびフレーム間符号化ピクチャからなるビットストリームとして符号化されて記録媒体に記録されるとともに、離散的に選択された複数のフレーム内符号化ピクチャの位置情報からなるエントリパケットがビットストリーム中のフレーム内符号化ピクチャの前に配置されるように多重化されてこの記録媒体に記録される。これにより、この記録媒体から、このエントリパケットに対応して、複数のフレーム内符号化ピクチャの位置を順次迅速にサーチすることができるので、ビデオデータのアクセスポイントを迅速に見つけ出すことができ、迅速なサーチが可能になる。
【００３０】
また、本発明のビデオデータを記録した記録媒体の生産方法によれば、入力されるビデオデータをフレーム内符号化ピクチャ、およびフレーム間符号化ピクチャからなるビットストリームに符号化し、離散的に選択された複数のフレーム内符号化ピクチャの位置情報からなるエントリパケットを生成し、生成されたエントリパケットを上記ビットストリーム中のフレーム内符号化ピクチャの前に配置されるように多重化し、上記エントリパケットを多重化した上記ビットストリームを記録媒体に記録するようにしたので、動画像がフレーム内符号化ピクチャ、およびフレーム間符号化ピクチャからなるビットストリームとして符号化されて記録されるとともに、離散的に選択された複数のフレーム内符号化ピクチャの位置情報からなるエントリパケットがビットストリーム中のフレーム内符号化ピクチャの前に配置されるように多重化されて記録された記録媒体が生産される。これにより、この記録媒体から、このエントリパケットに対応して、複数のフレーム内符号化ピクチャの位置を順次迅速にサーチすることができるので、ビデオデータのアクセスポイントを迅速に見つけ出すことができ、迅速なサーチが可能になる。
【発明を実施するための最良の形態】
【００３２】
図１および図２は、本発明のデータ符号化装置及びデータ復号化装置の一実施例の構成を示すブロック図であり、図６および図７における場合と同一の構成要素には同一の参照符号が付されている。
【００３３】
図１の符号化装置では、ビデオエンコーダ１の出力端子は、ビデオエントリポイント検出回路３１の入力端子に接続され、その出力端子はコードバッファ４の入力端子に接続されている。エントリパケット発生回路３２は、制御装置８の制御入力を受け、その出力をスイッチング回路６の入力端子Ｅ３に供給するようになされている。また制御装置８は、多重化システムクロック発生回路９の出力するシステムクロックの入力を受け、所定の周期でスイッチング回路６の入力端子Ｅ１，Ｅ２，Ｅ３を出力端子Ｆと順次接続状態にして、コードバッファ４，５またはエントリパケット発生回路３２からデータを順次取り出して時分割多重し、ヘッダ付加回路７に出力する。
【００３４】
また、制御装置８はヘッダ付加回路７を制御して、コードバッファ４から読み出したビデオデータにはビデオパケットヘッダを付加させる。またコードバッファ５から読み出したオーディオデータにはオーディオパケットヘッダを付加させる。
【００３５】
さらに、制御装置８は、ビデオエンコーダ１またはビデオエントリポイント検出回路３１から、Ｉピクチャの発生タイミングで発生されるエントリポイント発生信号の入力を受け、エントリパケット発生回路３２を制御して、ビットストリームの所定の位置にエントリパケットを挿入させる。ビデオエンコーダ１がエントリポイント発生信号を出力することができるように構成されている場合、ビデオエンコーダ１がＩピクチャの発生タイミングでエントリポイント発生信号を出力する。
【００３６】
また、ビデオエンコーダ１がエントリポイント発生信号を出力することができない構成の場合や、既にエンコードしてあるビデオビットストリームを多重化する際には、ビデオエントリポイント検出回路３１がＩピクチャの発生タイミングでエントリポイント発生信号を発生するか、またはビデオエンコーダ１より入力されたビデオデータからエントリポイントを検出し、エントリポイント発生信号を出力する。エントリポイント記憶装置３３は、制御装置８から読み書きできるメモリで、検出されたエントリポイントの位置を記憶する。その他の構成は、図６における場合と同様である。
【００３７】
図１に示した実施例においても、多重化ビットストリームは、少なくとも１つのパックと、ISO ＿11172 ＿end ＿codeにより構成される。そして、各パックは、例えば図３に示すようなフォーマットで構成されている。
【００３８】
すなわち、最初に、図８における場合と同様に、Pack＿Start ＿Code，SCR ，MUX ＿RateよりなるPack＿Header( ヘッダ) が配置され、次に、Video ＿Packet＿Headerが、さらにその次に、Ｉピクチャを含まないビデオデータがパケット構造で配置されている。ビデオデータの次には、Entry ＿Packetが、その次には、Video ＿Packet＿Headerが、さらにその次には、Ｉピクチャを含むビデオデータがパケット構造で配置されている。すなわち、Ｉピクチャ（エントリポイント）を含むビデオデータの直前（Video ＿Packet＿Headerの直前）には、Entry ＿Packetが配置されるようになされている。そして、この実施例の場合、ビデオデータの次に、Audio＿Packet＿Headerが、その次に、パケット構造のオーディオデータが、順次配置されている。
【００３９】
Entry ＿Packet（エントリパケット）は、図４に示すフォーマットとされている。このフォーマットは、ＭＰＥＧのパケットのうち、private ＿stream＿2のパケットのフォーマットに対応するものである。先頭には、Packet＿Start ＿Code＿Prefixが配置され、その次には、１６進で0xbfとされるstream＿idが配置されている。その次には、その後のパケットの長さを表わすlengthが配置されている。以上の配置は、図８におけるpacketのヘッダにおける場合と同様である。
【００４０】
本実施例においては、次に、sony＿idが配置されている。これは、このプライベートパケットが本出願人の独自のフォーマットであることを示している。その次には、sony＿packet＿typeが配置されており、これは、出願人独自のプライベートパケットフォーマット内の分類を示し、エントリパケットの場合は0xffとされる。さらにその次に順次配置されているcurrent ＿# ＿data＿streams ，current ＿# ＿video ＿streams ，current ＿# ＿audio ＿streams は、このエントリパケットの直後から、次のエントリパケットの直前までに多重化されているデータパケット、ビデオパケット、オーディオパケットの数を、それぞれ表わしている。
【００４１】
さらにその次には、entry ＿packet＿-3、entry ＿packet＿-2、entry＿packet＿-1、entry ＿packet＿+1、entry ＿packet＿+2、entry ＿packet＿+3が順次配置され、これらには、それぞれ３つ手前、２つ手前、１つ手前、１つ先、２つ先、３つ先のエントリパケットの位置と、それらのエントリパケットとの相対距離を駆動装置１０で駆動するディスクのセクタ数で表したものが記録されている。
【００４２】
次に、図１の実施例の動作について説明する。制御装置８は、ビデオエンコーダ１またはビデオエントリポイント検出回路３１からのエントリポイント発生信号を受け取り、ビデオエントリポイントの直前にエントリパケットを挿入させる（図３）。すなわち、エントリポイント発生信号の入力を受けたとき、エントリパケット発生回路３２にエントリパケットを発生させるとともに、スイッチング回路６を入力端子Ｅ３側に切り換えさせ、ヘッダ付加回路７に供給させて、コードバッファ４，５からのビデオデータおよびオーディオデータと多重化させる。
【００４３】
図４に示したように、各エントリパケットには、そのエントリパケットから３つ手前、２つ手前、１つ手前、１つ先、２つ先、および３つ先のエントリパケットの位置が、entry ＿packet＿-3、entry ＿packet＿-2、entry ＿packet＿-1、entry ＿packet＿+1、entry ＿packet＿+2、entry ＿packet＿+3に、それぞれ記録される。手前（過去）のエントリパケットの位置（３つ手前、２つ手前および１つ手前の位置）はエントリポイント記憶装置３３に記憶しておくことで、現在のエントリパケットを記録する時点でこれを知ることができる（従って必要に応じてこのタイミングにおいて、これを駆動装置１０に供給し、ディスクに記録することができる）。
【００４４】
しかしながら、先の（将来の）エントリパケットの位置は現時点においてこれを知ることが出来ない。このため、制御装置８はエントリポイントの位置をエントリポイント記憶装置３３にすべて記憶させておき、すべての多重化が終了した後に（ビデオデータとオーディオデータのビットストリームのディスクへの記録が完了した後に）、エントリポイント記憶装置３３から、各エントリパケットの３つ手前、２つ手前、１つ手前、１つ先、２つ先、および３つ先のエントリパケットの位置を読み出し、これを駆動装置１０に供給して、ディスク上の各エントリパケットに記録（追記）させる。
【００４５】
また、ビデオエンコーダ１とオーディオエンコーダ２は、それぞれ、ビデオ信号とオーディオ信号を、可変レートで符号化するが、制御装置８はヘッダ付加回路７を制御し、パックの間隔が２０４８バイトになるようにパックヘッダを付加させる。このため制御装置８は、例えば図５のようなアルゴリズムを使用してヘッダ付加、コード読み込み、エントリパケット挿入の処理を制御する。
【００４６】
ここで、図１０の処理における場合と同様に、Ｍ4はコードバッファ４に蓄積されているデータ量、Ｍ5はコードバッファ５に蓄積されているデータ量とする。また、Ｄは１つのパック中に含まれるデータの総量を示す。ここでは簡単化するために、Ｄを定数、すなわちパックの大きさ（２０４８）から、パックヘッダの大きさ、ビデオパケットヘッダの大きさ及びオーディオパケットヘッダの大きさを減じたものとする。また、Ｄ２はエントリパケットを含むパック中のデータの総量を示す。つまりＤからエントリパケットの大きさと、ビデオパケットヘッダの大きさを減じたものである。
【００４７】
最初に、制御装置８は、ヘッダ付加回路７に命令してパックヘッダを付加させる（ステップＳ１１）。そしてＭ4 とＭ5 の和が、１つのパックに含まれるコードデータの量Ｄと等しくなるか、大きくなるまで待機する（ステップＳ１２）。すなわち、１つのパックに収めるだけのデータが、コードバッファ４，５に蓄積されるまで待機する。
【００４８】
次に、そのパックに収めるビデオデータの量Ｐ１と、そのパックに収めるオーディオデータの量Ｐ２を、次式より計算する（ステップＳ１３）。Ｐ１，Ｐ２は、パックに含まれるコードデータの総量Ｄを、各コードバッファ４，５のデータ量Ｍ4 ，Ｍ5 の比で配分したものとされている。
Ｐ１＝Ｄ×Ｍ4 ／（Ｍ4 ＋Ｍ5 ）
Ｐ２＝Ｄ−Ｐ１
【００４９】
次に、制御装置８は、Ｍ4 のデータの内、先頭のＰ１バイトまでのデータにビデオエントリポイントがあるかどうかを確認する（ステップＳ１４）。パック内にビデオエントリポイントが含まれない場合、制御装置８はヘッダ付加回路７に指令し、ビデオパケットヘッダを出力させる（ステップＳ１５）。次にＰ１バイトのビデオデータをコードバッファ４より読み出し、駆動装置１０に出力させる（ステップＳ１６）。同様にオーディオパケットヘッダを付加させ（ステップＳ１７）、Ｐ２バイトのオーディオデータをコードバッファ５より読み出させ、駆動装置１０に出力させる（ステップＳ１８）。
【００５０】
パック内にビデオエントリポイントが含まれない場合、以上の処理が繰返される。この処理は、図１０における場合の処理と同様である。
【００５１】
一方、パック内にビデオエントリポイントが含まれる場合、制御装置８はまず、エントリポイント記憶装置３３に現在のパックの位置を記憶させる。そして、そのパックに収めるビデオデータの量Ｐ１とオーディオデータの量Ｐ２を、次式に従って計算する（ステップＳ１９）。
Ｐ１＝Ｄ２×Ｍ4 ／（Ｍ4 ＋Ｍ5 ）
Ｐ２＝Ｄ２−Ｐ１
ステップＳ１３における演算を行った後、ここで同様の演算をさらに行うのは、そのパックにエントリパケットを含めるため、データの容量が少なくなるからである。ここではＰ１，Ｐ２は、Ｄ２を各コードバッファ４，５のデータ量Ｍ4 ，Ｍ5 の比で配分したものとされている。
【００５２】
次に、ビデオパケットヘッダがヘッダ付加回路７から駆動装置１０に出力され（ステップＳ２０）、続いてビデオエントリポイント直前までのビデオデータが、ビデオエンコーダ１、ビデオエントリポイント検出回路３１、コードバッファ４、スイッチング回路６の入力端子Ｅ１、出力端子Ｆ、ヘッダ付加回路７の経路で駆動装置１０に出力され、ディスクに記録される（ステップＳ２１）。次に、エントリパケット発生回路３２によりエントリパケットが出力され、ディスクに記録される（ステップＳ２２）。ただし、このときはまだ、エントリパケットの相対位置情報はディスクには書き込まれない。
【００５３】
その後、もう一度ビデオパケットヘッダが出力記録され（ステップＳ２３）、残りのビデオデータが出力、記録される（ステップＳ２４）。そしてステップＳ１７，Ｓ１８に進み、オーディオパケットヘッダが付加され、Ｐ２バイトのオーディオデータが記録される。
【００５４】
図５のアルゴリズムを繰り返し、ビデオエンコーダ１とオーディオエンコーダ２への入力がなくなった時点で、既にディスクに記録されているエントリパケットに位置データが書き込まれる。すなわち、制御装置８は、エントリポイント記憶装置３３からエントリパケットを含むパックの位置を読み出し、駆動装置１０のディスクの各エントリパケットに、前後３つずつのエントリパケットを含むパックの位置を書き込ませる。
【００５５】
次に、図２を参照して、図１の実施例において符号化されたデータを復号化する装置について説明する。分離装置２１のヘッダ分離回路２２は、駆動装置１０から読み出されたデータから、パックヘッダ、パケットヘッダおよびエントリパケットを分離して制御装置２４に供給するとともに、時分割多重されたデータをスイッチング回路２３の入力端子Ｇに供給する。スイッチング回路２３の出力端子Ｈ１，Ｈ２は、それぞれビデオデコーダ２５、オーディオデコーダ２６の入力端子に接続されている。
【００５６】
また制御装置２４は、ヘッダ分離回路２２より入力されたデータから、エントリポイントに関する情報（エントリパケットの情報）を読み出し、エントリポイント記憶装置４１に供給し、記憶させる。制御装置２４には駆動装置１０から現在の読出位置の情報が供給されるので、制御装置２４は、エントリポイントの位置とその内容を、対応付けて記憶させるようにすることが出来る。
【００５７】
分離装置２１の制御装置２４は、ヘッダ分離回路２２から供給されたパケットヘッダのstream id に従い、スイッチング回路２３の入力端子Ｇと出力端子Ｈ１，Ｈ２を順次接続状態にして、時分割多重されたデータを正しく分離させ、ビデオデータをビデオデコーダ２５に、オーディオデータをオーディオデコーダ２６に、それぞれ供給させる。
【００５８】
次に、図２の多重化データ復号化装置のサーチ動作が指令された場合の動作を説明する。サーチ動作が指令されたとき、図示せぬ主制御装置は、制御装置２４、ビデオデコーダ２５及びオーディオデコーダ２６に対してサーチモードへの遷移を命令する。また、制御装置２４は、駆動装置１０の出力から現在の読出位置を読み取り、その位置の近傍のエントリポイントをエントリポイント記憶装置４１より抽出する。このエントリポイント記憶装置４１には、再生モード時に再生されたエントリパケットの情報が随時記憶されている。あるいはまた、装置の電源をオンしたとき、ディスクを装着したとき、再生を指令したときなど、所定のタイミングにおいて、駆動装置１０に装着されているディスクに記録されているすべての、あるいは所定の範囲のエントリパケットの情報を、予め読み出させ、記憶させておくこともできる。
【００５９】
制御装置２４はエントリポイントを求めたとき、駆動装置１０にサーチ命令を送り、読出位置をそのエントリポイントに高速移動させる。移動が完了したとき、駆動装置１０は、そのエントリポイントからデータを再生し、分離装置２１に供給する。図３を参照して説明したように、エントリパケットはＩピクチャが記録されているビデオデータの直前に配置されている。従って、ヘッダ分離回路２２によりエントリパケットに続くビデオデータを分離し、ビデオデコーダ２５に供給すると、このビデオデータの最初のピクチャはＩピクチャになっている。ビデオデコーダ２５は最初に出現したＩピクチャをただちにデコードし、出力する。サーチモードにおいては、オーディオデコーダ２６はミユート状態とされる。
【００６０】
エントリパケットには、前後それぞれ３つのエントリポイントの位置情報が記録されているので、制御装置２４はその位置情報から次のエントリパケットをサーチさせ、再生させる動作を繰返させる。これにより、Ｉピクチャが迅速に、順次連続再生される。
【００６１】
制御装置２４は、サーチの速度が速いときには、より遠くのエントリポイントにアクセスさせ、サーチの速度が遅いときには、より近くのエントリポイントにアクセスさせる。エントリポイントは、正方向と逆方向に、それぞれ３個づつ記録されているので、選択するエントリポイントの組合せによって、３段階以上のサーチ速度のバリエーションを持たせることができる。
【００６２】
前述のようにエントリパケットを最初に駆動装置１０に最初に送るときは、先の位置にある（将来の）エントリパケットの位置を知ることはできないので、制御装置８はすべての多重化が終了した後に、エントリポイント記憶装置３３に記録されている情報を用いて、エントリパケットの位置情報、entry ＿packet＿+1、entry ＿packet＿+2、entry ＿packet＿+3を起動装置１０の多重化ビットストリーム中にあるエントリパケットに追記する。
【００６３】
しかし、エントリポイント記憶装置３３の容量が十分または全く無い場合、先の位置にあるエントリパケットの位置情報を十分または全く保持できないので、駆動装置１０に記録された多重化ビットストリーム中のエントリパケットに追記することができない。またエントリパケット記憶装置３３の容量が全く無い場合には、最初にエントリパケットを駆動装置３３に送る時に前の位置にあるエントリパケットの位置情報、entry ＿packet＿-3、entry ＿packet＿-2、entry ＿packet＿-1を書き込むことができない。このような場合、完成した多重化ビットストリーム中のエントリパケットの位置情報に入っている値は予測できないので、このような値に基づいてサーチを行った場合には予期せぬ動作が起きる可能性がある。
【００６４】
そこで、エントリパケットの位置情報の有効性を示すフラグを設ける。具体的には、エントリパケット発生回路３２から発生させるエントリパケットの形式を図１２または図１３で示す形式にする。図１２の形式は、そのエントリパケットに含まれるすべてのエントリポイントの位置情報の有効性をひとつの1bitフラグで表現する方法であり、図１３の場合は、エントリポイントごとに有効性を表すフラグを付加する方法である。
【００６５】
図１２の形式のエントリパケットを用いる場合、多重化を行って最初に多重化ビットストリームを駆動装置１０に送る段階では、エントリパケットの位置情報を完全に書き込めないので、そのエントリパケットの位置情報の有効フラグ、Enable Flag に「無効」を意味する０をセツトし、駆動装置１０に記録する。全ての多重化データを記録し終わった後、エントリポイント記録装置３３に記録されているエントリパケットの位置情報を用いて、エントリパケットに追記を行う際、位置情報を全て書き込めたエントリパケットについては、制御装置８はそのエントリパケットにあるEnable Flag を「有効」を意味する１に更新する。
【００６６】
図１３の形式のエントリパケットを用いる場合は、多重化を行って最初に多重化ビットストリームを駆動装置１０に送る段階で、Enable Flag -3〜EnableFlag +3の有効フラグのうち、書き込むことのできた位置情報に対応する有効フラグには「有効」を示す１をセツトし、書き込むことのできなかった位置情報に対応する有効フラグには「無効」を示す０をセツトして駆動装置１０に記録する。全ての多重化データを記録し終わった後、エントリポイント記録装置３３に記録されているエントリパケットの位置情報を用いて、エントリパケットに追記を行う際、制御装置８は、追記できた位置情報に関しては、対応する有効フラグを「有効」を意味する１に更新する。
【００６７】
図１３において、enable＿flag＿N と、entry ＿packet＿N（-3≦N≦+3 ）を連続したビット列と考え、このビット列で一つの数を表すと考えると、エントリパケットの位置情報有効フラグを設ける代わりに、エントリパケット位置情報そのもので、その値の有効性を表すことと等価になる。つまり有効な位置情報を書き込めない場合、特定の範囲の値、または位置情報として無効な値を書き込んでおくことで、位置情報有効フラグを付加するのと同等の機能を実現することができる。特定の値をエントリパケットの位置情報に書き込むことによって、それぞれのエントリポイントが無効であることを示す場合、無効を示す特定の値を複数種類設けることも可能である。たとえば、単にエントリポイントの位置情報の記録に失敗したために、そのエントリポイントの情報が無効な場合と、意図的にそのエントリポイントに読みだし位置を移動させるのを禁止する場合とを、異なる値でエントリパケットに書き込むことによって、多重化データ復号化装置に知らせることができる。
【００６８】
次に図１２または図１３で示したような、エントリパケット位置情報有効フラグを利用して、サーチ動作を行う多重化データ復号化装置を、図２を使用して説明する。制御装置２４はヘッダ分離回路２２より読みだされた、エントリパケットの情報を、エントリポイント記憶装置４１に供給し、記憶させる。このとき、エントリパケットは図１２または図１３で示されるように、エントリパケット位置情報有効フラグが付加されている場合には、制御装置２４はそのフラグを含めて、エントリポイント記憶装置４１に供給し、エントリポイント記憶装置４１はそれを記憶する。
【００６９】
サーチ動作が指令された時、図示せね主制御装置は、制御装置２４、ビデオデコーダ２５及びオーディオデコーダ２６に対してサーチモードへの遷移を指令する。制御装置２４は、駆動装置１０の出力から読み出される、現在の読みだし位置情報と、エントリポイント記憶装置４１から読み出されるエントリパケットの位置情報から、駆動装置１０にサーチ動作を命令するための、読み出し位置を得る。このとき制御装置２４は、エントリポイント記憶装置４１からエントリパケットの位置情報の有効性を判断し、無効であるエントリポイントには駆動装置１０にサーチ動作を命令しない。または他のエントリポイントの位置情報等から、当該エントリポイントの位置が、内挿、推定などで計算できる場合にはそのようにして求められたエントリポイントの位置に、駆動装置１０をサーチさせることもできる。
【００７０】
図４に示すエントリパケットのentry ＿packet＿-3、entry ＿packet＿-2、entry ＿packet＿-1、entry ＿packet＿+1、entry ＿packet＿+2、entry ＿packet＿+3には、それぞれそのエントリパケットの３つ手前、２つ手前、１つ手前、１つ先、２つ先、３つ先のエントリポイントの相対位置を（セクタ番号で）記録するが、ここに書き込むエントリポイントの相対位置は、必ずしも当該エントリパケットに対して-3,-2,-1,+1,+2,+3 の位置のエントリポイントの位置である必要はなく、例えば-25,-8,-1,+1,+5,+20 というように、任意のエントリパケットの相対位置を記録することもできる。
【００７１】
これによって、記録メデイアの種別、多重化ビットストリームの信号形式、多重化するビデオまたはオーディオデータの性質などの諸特性に応じ、書き込むエントリポイントの相対位置を記録装置ごと、多重化データごと、エントリパケットごとに変更してサーチ速度を調整することができる。例えば、ISO11172(MPEG)で規定される多重化ビットストリームでは、Ｉピクチャから次のＩピクチャまでのピクチャ枚数は可変である。そのような場合で、常にエントリパケットに-3,-2,-1,+1, +2,+3の位置のエントリポイントが書き込まれている場合、Ｉピクチャ間の枚数が異なるビットストリームでは、実時間再生に対するサーチ再生の速度は変化してしまうが、Ｉピクチャ間のピクチャ枚数に対応して、エントリポイントの相対位置を可変させてエントリパケットに記録することにより、サーチ速度を調整して、Ｉピクチャ間の枚数が異なるビットストリーム間で一定のサーチ再生の速度を実現することができる。
【００７２】
エントリパケットの位置情報に書き込むエントリポイントの相対位置は、必ずしも当該エントリパケットに対して-3,-2,-1,+1,+2,+3 の位置のエントリポイントの位置である必要はなく、例えば-25,-8,-1,+1,+5,+20 というように、任意のエントリパケットの相対位置を記録することもできるが、正・逆方向のスロー再生動作やコマ送り再生動作などの特殊再生を行う場合に、前後-1,+1 の位置のエントリポイントの位置が必要となる場合がある。
【００７３】
そこで、このような特殊再生が必要となるビットストリームに関しては、entry ＿packet＿-1、entry ＿packet＿+1に記録するエントリポイントの位置に制限を設け、それぞれ必ず前後-1,+1 の位置のエントリポイントの位置を書き込むようにすることもできる。先に説明したように、任意の個数分先または前にあるエントリポイントの位置情報をエントリパケットに記録する場合において、例えば -25,-8,-1,+1,+5,+20個先のエントリパケットの相対位置を記録するような場合において、図４のような形式のエントリパケットを使用すると、図２に示すような多重化データ復号化では、それらの自由に書き込まれたエントリポイントの位置情報がいくつ先または前のエントリポイントの位置情報に関するものかを判別することができない。したがって、それらの相対位置情報をサーチ動作に用いた場合、どの程度のサーチ速度が実現できるのかが予測できないという問題がある。
【００７４】
そこで、エントリパケットを図１９に示すような形式とし、entry ＿packet＿- 3 、entr y＿packet＿-2、en try＿packet＿-1、entry ＿packet＿+1、entry＿packet＿+2、entry ＿packet＿+3が、それぞれ何個分前または先のエントリポイントの位置を示すかを表す情報、Entry Point Position -3 、Entry Point Position -2 、Entry Point Position -1 、Entry Point Position +1 、Entry Point Positi on +2、Entry Point Position +3 をエントリパケットに記録すること
もできる。
【００７５】
例えば、entry ＿packet＿-3、entry ＿packet＿-2、entry ＿packet＿-1、entry＿packet＿+1、entry ＿packet＿+2、entry ＿packet＿+3に、それぞれ、 -25,-8,-1,+1,+5,+20個先にあるエントリポイントの位置情報を記録する場合、Entry Point Position -3 、Entry Point Position -2 、Entry Point Position -1 、Entry Point Position +1 、Entry Point Position +2 、Entry
Point Position+3にそれぞれ、-25,-8,-1,+1,+5,+20 と記録しておく。このEntry Point Position -3 〜+3までの情報を用いてサーチを行う場合の図２に示す多重化データ復号化装置の動作を説明する。
【００７６】
いま図示せぬ主制御装置は、制御装置２４に対して、サーチ速度の目標値が与えてサーチ動作を指令する。ヘッダ分離回路２２はＤＳＭ１０から送られてきた多重化ビットストリームからエントリパケットを判別し、エントリパケットの内容を制御装置２４に送る。制御装置２４はエントリパケット中にある、Entry Point Position -3 、Entry Point Position -2 、Entry Point Position -1 、Entry Point Position +1 、Entry Point Position +2、Entry Point Position+3の中から、図示せぬ主制御装置から指示されたサーチ速度に最も近い速度を実現するものを選択し、対応するエントリポイントの位置情報を、entry ＿packet＿-3、entry ＿packet＿-2、entry ＿packet＿-1、entry ＿packet＿+1、entry ＿packet＿+2、entry ＿packet＿+3から得る。制御装置２４はこのようにして選択したエントリポイントの位置情報を用いて、ＤＳＭ１０に次のエントリポイントへのサーチ動作を指令する。
【００７７】
このように、各エントリポイントの位置情報が何個先または前のエントリポイントの位置かを示す情報を用いて、あらゆる希望するサーチ速度に対してそれに最も近いサーチ速度を実現するエントリポイント位置情報を選択することができる。エントリパケットを図１４に示すような形式とし、そのエントリポイントの直後に続くＩピクチャのデータの大きさI-picture length、またはそのＩピクチャのデータの終端が多重化されているパックの位置I-picture END sector-No.、またはその両方をエントリパケットに記録することもできる。
【００７８】
図１５にI-picture length、I-picture END sector-No.をエントリパケットに記録するための多重化装置の構成を示す。Ｉピクチャ終了点検出回路５１はビデオエンコーダ１から送られてくるビットストリームから、Ｉピクチャのデータの終端を探しだし、その位置を制御装置８に知らせる機能を持つ。エントリポイント記憶装置３３は、エントリパケットの位置、そのエントリパケットに書き込まれるエントリポイントの値（entry ＿packet＿-3, entry ＿packet＿-2, ... ,entry ＿packet＿+3）に加えて、そのエントリパケットの直後に続くＩピクチャのデータの長さI-picture lengthと、そのＩピクチャのデータの終端が多重化されているパックの位置情報I-picture END sector-No.を保持する機能を持つ。それ以外のブロックの機能は、図２と同様である。
【００７９】
制御装置８は、ビデオエンコーダ１、ビデオエントリポイント検出回路３１、Ｉピクチャ終了点検出回路５１から、エントリポイントの位置とそのエントリポイントの直後に続くＩピクチャのデータの終了点の位置を検出する。エントリポイントの位置はＩピクチャのデータの開始点の位置であるから、制御装置８は、Ｉピクチャのデータの終了点の位置とエントリポイントの位置の差分をとることによって、Ｉピクチャのデータの長さI-picture lengthを計算する。
【００８０】
Ｉピクチャのデータの長さは、コードバッファ４の記憶容量より大きい可能性があるため、エントリパケットを多重化して、駆動回路１０に書き込むときには、そのエントリパケットに書き込むべきＩピクチャのデータの長さI-picture lengthはまだ計算されていないことがある。そのような場合には、エントリパケットのI-picture lengthの部分には未計算を示す０または特定の値を書き込んで駆動装置１０に記録しておく。制御装置８は、Ｉピクチャのデータの長さが計算された時点で、エントリポイント記憶装置３３にＩピクチャのデータの長さI-picture lengthを記録しておき、後でエントリパケットを追記する時に、駆動装置１０にI-picture lengthの値を供給して記録する。
【００８１】
また、Ｉピクチャのデータが多重化されているパックの終端の位置I-pictureEND sector-No.は次のようにして求められる。制御装置８は、コードバッファ４とコードバッファ５に蓄積されているデータ量Ｍ４，Ｍ５によって、図５に示されるアルゴリズムでデータを多重化するが、ここで制御装置８は、図５で示されるアルゴリズムに記述されている処理とは別に、各パックごとにそのパックのビデオデータにＩピクチャの終了点が含まれるかを判定する。そのパックにＩピクチャのデータの終了点が含まれる場合、制御装置８は、そのパックの位置をエントリポイント記憶装置３３に記録しておく。エントリポイント記憶装置３３に記録する際は、そのＩピクチャの直前に多重化されたエントリパケットに書き込まれるデータと対応がとれるようにして記憶する。
【００８２】
エントリポイント記憶装置３３に記録された、Ｉピクチャのデータの終端位置の含まれるパックの位置I-picture END sector-No.は、Ｉピクチャのデータの長さI-piturelength と同様、エントリパケットの追記が行われる際に駆動装置１０にその値が供給されて記録される。この際、I-picture END sector-No.は、そのＩピクチャのデータの多重化が開始されたパックの位置、すなわちエントリパケットの多重化されているパックの位置からの相対距離で駆動装置１０に書き込まれる。
【００８３】
次に、このようにしてエントリパケットに書き込まれた、I-picture END sector-No.を用いて、高速なサーチを行う多重化データ復号化装置の例を図２を用いて説明する。ISO11172(MPEG)に基づくビデオデコーダは、ピクチャごとにそのデータの量が異なるようなビットストリームに対してもデコード動作を保証するため、デコーダ内部にビデオコードバッファを持っている。ビデオデコーダ２５に入ってきたビットストリームは、まず一旦このビデオコードバッファに蓄えられ、その後、必要なタイミングでデコードされる。
【００８４】
従来はＩピクチャを連続再生するため、制御装置２４は、ビデオデコーダ２５によるＩピクチャのデコードが終了したかを監視し、デコード終了が確認された後、次のＩピクチャのサーチ指令を、駆動装置１０に対して行うという動作を行っていた。この時ビデオデコーダ２５がビデオコードバッファを持っている場合、ビデオデコーダ２５のデコード部がＩピクチャのデコードを終了した段階では、ビデオデコーダ２５のビデオコードバッファには、Ｉピクチャに続いて多重化されているＰ，Ｂピクチャのデータが蓄えられており、それらのデータはデコードされないのにも関わらず、駆動装置１０から読み込まれている状態にある。多くの場合、サーチの速度は、ビデオデコーダ２５のデコードに要する時間よりも、駆動装置１０からデータを読み出す時間に支配されるので、無駄なＰ，Ｂピクチャのロードによって、サーチの速度は低下する。
【００８５】
エントリパケットに書き込まれているI-picture END sector-No.情報を使用することにより、無駄なＰ，Ｂピクチャの読みだし量を最小限に抑え、次に表示すべきＩピクチャのデータをビデオデコーダ２５内のビデオコードバッファ内にあらかじめ読み込むことができるので、サーチ速度が駆動装置１０からの読みだし速度に支配されるような多重化データ分離装置において、より高速なサーチ動作が実現できる。
【００８６】
サーチ動作中において制御装置２４は、エントリポイント記憶装置４１に記録されている情報をもとに、駆動装置１０にサーチを指令する。駆動装置１０は指定された位置から多重化ビットストリームをヘッダ分離回路２２へ送る。ヘッダ分離回路は、送られてきた多重化ビットストリーム中にエントリパケットが検出されると、制御装置２４に割り込みを発生させこれを知らせる。制御装置２４は、この割り込みを受けて、駆動装置１０から現在の読み出し位置情報を読みだし、エントリポイント記憶装置４１に現在のエントリポイントの位置として記録する。
【００８７】
また、同時に制御装置２４は、ヘッダ分離回路からエントリパケットに書かれているエントリポイントの位置情報を取り出し、エントリポイント記憶装置に記録する。このとき、エントリポイントの位置情報のうち、I-picture END sector-No.等のように現在のエントリポイントの先頭のパック位置からの相対位置でエントリパケット中に書き込まれている情報は、駆動装置１０から読み出してエントリポイント記憶装置４１に記録した現在のエントリポイントの位置情報に、その相対位置情報を加算することにより、相対位置情報を絶対位置情報に変換して、エントリポイント記憶装置４１に記録する。
【００８８】
駆動装置１０が多重化ビットストリームをヘッダ分離回路２２に供給し続けるに従って、駆動装置１０の読み出し位置情報は時間とともに増加していく。制御装置２４は駆動装置１０から読み出し位置情報を一定周期で読み出し、エントリポイント記憶装置４１に記憶されている絶対位置情報に変換されたI-picture END sector-No.と比較する。このとき駆動装置１０から得られた読み出し位置情報がI-picture END sector-No.を越えているときは、必要なＩピクチャの読み出しは終了しており、Ｉピクチャに続くＰ，Ｂピクチャ等の不要なデータがロードされていると判断し、直ちに駆動装置１０に次のＩピクチャを読み込むためのサーチを命令する。
【００８９】
また、このようにしてエントリパケットに書き込まれた、Ｉピクチャのデータの大きさI-picture length、及びそのＩピクチャデータの終端が多重化されているパックの位置I-picture END sector-No.を用いて、より一定なサーチ速度でサーチを行える多重化データ復号化装置の例を図２を用いて説明する。図２に示す、多重化データ復号化装置では、サーチ動作に入った場合、制御装置２４は、エントリパケット記憶装置４１に記憶されているエントリポイントの位置情報をもとに、Ｉピクチャのデータの先頭のあるパックを駆動装置１０から読み込む。読み込まれたパックには必ずエントリパケットが多重化されているので、そこに書かれているI-picture length、I-picture END sector-No.からそのI-picture のデータの長さや読み込むべきパックの量を読み出すことができる。
【００９０】
制御装置２４はエントリパケットに書かれたI-picture length、I-picture END sector-No.があるしきい値を越えるか、またしきい値を越えたＩピクチャが何枚連続したかどうかを判定する。データ量がしきい値を越えたＩピクチャが一定枚数以上続いた場合には、駆動装置１０からのデータの読み出しや、ビデオデコーダ２５によるデコード処理に時間がかかり、サーチ速度が遅くなったことが推定できるので、一時的にＩピクチャのデコードの中止、もしくは-3〜+3までのエントリポイントのうち、選択するエントリポイントの変更を行って遅れを修正する。Ｉピクチャのデコードの中止は、ビデオデコーダ２５及びオーディオデコーダ２６にデータが供給されないうちに、駆動装置１０に次のエントリポイントへのサーチを命令することによって実現する。選択するエントリポイントの位置の変更は、次のＩピクチャをサーチする際にそれまで行っていたサーチよりも高速なサーチを行うエントリポイントに駆動装置１０をサーチさせることによって実現する。例えばentry ＿packet＿+2を用いたサーチを行っている場合であれば、一時的にentry ＿packet＿+3を用いたサーチに変更する。
【００９１】
上記の手順によって、一時的にサーチ速度が低下した場合に、直後のサーチ動作を一時的に省略または高速化し、より一定速度に近いサーチを実現することができる。またエントリパケットの形式を図１６に示されるようにし、当該エントリパケットに続くＩピクチャに関するI-picture length、I-picture END sector-No.だけでなく、entry ＿packet＿-3〜entry ＿packet＿+3までに示されているエントリパケットに続くＩピクチャに関する、I-picture length、I-picture END sector-No.をエントリパケットに記録することができる。すなわち、I-picture length＿-3〜I-picture length＿+3、I-picture END sector-No.＿-3〜I-picture END sector-No.＿+3をエントリパケットに書き込む。
【００９２】
これによって、新しいＩピクチャを読み込む時、そのＩピクチャの直前に多重化されているエントリパケットを読み込む前に、制御装置はそのＩピクチャの長さや、駆動装置上の終端の位置を知ることができるので、さらに高速なサーチを実現することができる。エントリパケットを図１６に示すような形式とし、ビデオストリーム番号、Video stream-No.を記録することができる。ISO11172(MPEG)に規定されている多重化ビットストリームには、最大１６までのビデオデータが多重化されることが許されている。一つの多重化ビットストリームに複数のビデオストリームが多重化され、かつ多重化された２つ以上のビデオストリームについてサーチ動作をすることが考えられるときは、各ビデオストリームによってエントリポイントの位置が異なるので、それぞれのビットストリームに対するエントリポイント情報を記録する必要がある。
【００９３】
従来のエントリパケットの形式ではひとつのビデオストリームに対するエントリパケットしか多重化することができなかったが、Video stream-No.情報をエントリパケットに記録して、各ビデオストリームに対するエントリパケットを多重化することにより、復号化装置が、必要なビデオストリームに対するエントリパケットを選択することが可能になり、複数のビデオストリームが多重化されている多重化データにおいても、任意のビデオストリームに対してサーチ動作を実現できる。
【００９４】
図１７に示される多重化装置においては、ビデオエンコーダ１、ビデオエントポイント検出回路３１、Ｉピクチャ終了点検出回路５１、コードバッファ４および５がそれぞれｎ個存在する。このような多重化装置の場合、制御装置８はそれぞれのコードバッファに蓄えられるビデオまたはオーディオビットストリームをスイッチング回路６２で切り替えてヘッダ付加回路に供給してビデオパケットヘッダまたはオーディオパケットヘッダを付加し、パック単位で駆動装置１０に記録する。
【００９５】
駆動装置１０に記録しようとするパックにいずれかのビデオストリームのＩピクチャが含まれていた場合には、そのＩピクチャの直前にエントリパケットが多重化される。このときそのエントリパケットがどのビデオストリームに対するものかを、制御装置８はエントリポイント発生回路３２に供給し、エントリパケットのVideo stream-No.に記録する。
【００９６】
図２で示される多重化データ復号化装置では、制御装置２４はヘッダ分離回路２２からエントリパケットのVideo stream-No.を読みだし、その値がサーチ動作を行いたいビデオストリーム番号と一致した時にはそのエントリパケットに記録されているエントリポイント情報等をエントリポイント記憶装置４１に記憶する。また、一致しない時はそのエントリポイント情報等を破棄する。 このように多重化するビデオストリームごとにエントリパケットを設け、どのビデオストリームに対応するかの識別子をエントリパケットに含むことによって多重化されている全てのビデオストリームでサーチ動作を実現することができる。
【００９７】
エントリパケットを図１６に示すような形式とし、コピーマネジメントフラグ、Copy Management Flagを記録することができる。Copy Management Flagは、ＣＤ（コンパクトディスク）、ＤＡＴ（デジタルオーディオテープ）に採用されているＳＣＭＳ（Serial Copy Management System ）と同じ働きを実現するもので、多重化データの製作者の意図にそわないコピーを不可能にすることを指定するフラグである。
【００９８】
図１に示すデータ多重化装置において、制御装置８はコピーを禁止したいビットストリームに対しては、エントリパケット発生回路３２に指令して、発生させるエントリパケットのCopy Management Flagにコピー禁止を示す値をセツトする。図２に示すデータ復号化装置においては、制御装置８はヘッダ分離回路２２からエントリパケットのCopy Management Flagを読み込み、ここにコピー禁止を示す値がセツトされていたら、そのビデオストリームをコピー禁止として扱う。コピー禁止として扱われるビデオストリームに対して復号化装置は、復号化装置が外部出力端子を設けている場合にビットストリームデータを外部出力端子に出力しないようにしたり、または外部出力する際に送出するビットストリームのコピー禁止を示す領域にコピー禁止を示す値をセツトして送出先の機器にそのビットストリームがコピー禁止であることを知らせる。
【００９９】
また、Copy Management Flagは、コピー禁止であるか否かの情報だけでなく、コピーが許される回数情報を記録することができる。これにより、ビットストリームをコピーして複製物を作成することは可能であるが、その複製物をもとにした複製物、すなわち孫コピーによる複製を禁止することができる。 以上により、著作権が主張されている等の理由によりコピーを禁止したいビットストリームを復号化装置またはそこに接続される機器に対して明示することができる。
【０１００】
サーチ動作を行う場合、復号化装置は、エントリパケット情報を用いてＩピクチャを連続表示するが、この場合、時間的に連続でないピクチャが表示されることになる。このように時間的に連続でない画像を一定時間以上眺めることにより、極度に目が疲労する可能性がある。そこで、図１８に示す多重化データ復号化装置に示すように制御装置２４がビデオデコーダ２５に輝度コントロール信号を送ることができるようにし、サーチ中に表示画面の輝度を落して目の疲労の低減をはかることができる。 制御装置２４は図示せぬ主制御装置より指令されてサーチ動作に入ると、ビデオデコーダ２５に輝度を落すコントロール信号を送る。ビデオデコーダ２５は輝度コントロール信号を受けとると表示画面の輝度を落し、表示画面を暗くする。またサーチ動作が終了すると、制御装置２４は輝度を通常に戻すコントロール信号を送る。ビデオデコーダ２５はその信号により、表示画面の輝度を通常の状態に戻す。
【０１０１】
これにより、サーチ動作が行われ、時間的に不連続な画像が表示されている間は表示画像の輝度を落すことが可能になり、サーチ動作時の目の疲労を低減することができる。
【図面の簡単な説明】
【０１０２】
【図１】本発明のデータ符号化装置の一実施例の構成を示すブロック図である。
【図２】本発明のデータ復号化装置の一実施例の構成を示すブロック図である。
【図３】図１および図２の実施例の駆動装置１０により駆動されるディスクのデータフォーマットのうち、パックのフォーマットを示す図である。
【図４】図３のエントリパケットのフォーマットを説明する図である。
【図５】図１の実施例の動作を説明するフローチヤートである。
【図６】従来のデータ符号化装置の一例の構成を示すブロック図である。
【図７】従来のデータ復号化装置の一例の構成を示すブロック図である。
【図８】図６および図７の例におけるビットストリームのフォーマットを説明する図である。
【図９】図８のストリームＩＤを説明する図である。
【図１０】図６の例の動作を説明するフローチヤートである。
【図１１】図６および図７の駆動装置１０により駆動されるディスクにおけるビットストリームを説明する図である。
【図１２】エントリパケットのビットストリームでのフォーマットを説明する図である。
【図１３】エントリパケットのビットストリームでの他のフォーマットを説明する図である。
【図１４】エントリパケットのビットストリームでのさらに他のフォーマットを説明する図である。
【図１５】エントリパケットにデータを記録するための多重化装置の一例の構成を示すブロック図である。
【図１６】エントリパケットのビットストリームでのさらに他のフォーマットを説明する図である。
【図１７】エントリパケットにデータを記録するための多重化装置の一例の構成を示すブロック図である。
【図１８】輝度コントロールを可能にする多重化データ復号化装置の一例の構成を示すブロック図である。
【図１９】エントリパケットのビットストリームでのさらに他のフォーマットを説明する図である。
【符号の説明】
【０１０３】
１ ビデオエンコーダ
２ オーディオエンコーダ
３ 多重化装置
４，５ コードバッファ
６ スイッチング回路
７ ヘッダ付加回路
８ 制御装置
９ 多重化システムクロック発生回路
１０ 駆動装置
２１ 分離装置
２２ ヘッダ分離回路
２３ スイッチング回路
２４ 制御装置
２５ ビデオデコーダ
２６ オーディオデコーダ
３１ ビデオエントリポイント検出回路
３２ エントリパケット発生回路
３３，４１ エントリポイント記憶装置
【図１】
0003651479.tif 000002
【図２】
0003651479.tif 000003
【図３】
0003651479.tif 000004
【図４】
0003651479.tif 000005
【図５】
0003651479.tif 000006
【図６】
0003651479.tif 000007
【図７】
0003651479.tif 000008
【図８】
0003651479.tif 000009
【図９】
0003651479.tif 000010
【図１０】
0003651479.tif 000011
【図１１】
0003651479.tif 000012
【図１２】
0003651479.tif 000013
【図１３】
0003651479.tif 000014
【図１４】
0003651479.tif 000015
【図１５】
0003651479.tif 000016
【図１６】
0003651479.tif 000017
【図１７】
0003651479.tif 000018
【図１８】
0003651479.tif 000019
【図１９】
0003651479.tif 000020